(57)【要約】      （修正有）【課題】所定の施設内において、ユーザに対し適切なサービスを提供し得るシステムを提供する。【解決手段】所定のタグと所定の個人情報とを対応付ける段階と、前記所定のタグと対応づけられた個人情報に係る個人に対しサービスを提供する段階とを設け、前期タグと個人情報とを対応づける段階では、当該個人が有する情報処理装置の識別情報を該当するタグの識別情報とともに登録する。個人が有する情報処理装置の識別情報をタグの識別情報とともに登録するため、サービスを提供する現場にて容易にタグと個人との対応付けが実現可能となる。【選択図】図１
2007114970.tif 000002
【特許請求の範囲】
【請求項１】
タグと個人情報とを対応付ける段階と、
前記タグと対応づけられた個人情報に係る個人に対しサービスを提供する段階とよりなるサービス提供方法であって、
前記タグと個人情報とを対応づける段階は、当該個人が有する情報処理装置の識別情報を前記個人情報として該当するタグの識別情報とともに登録する段階よりなる構成とされてなるサービス提供方法。
【請求項２】
更に前記タグの位置を検出する段階を有し、
前記サービスを提供する段階では、前記検出された位置に応じたサービスを提供する構成とされてなる請求項１に記載のサービス提供方法。
【請求項３】
更に個人情報に関連付けてサービス内容を登録する段階よりなり、
前記サービスを提供する段階では、前記個人情報に関連付けて登録されたサービス内容に関わるサービスを該個人情報に係る個人に対し提供する構成とされてなる請求項１または２に記載のサービス提供方法。
【請求項４】
タグと個人情報とを対応付ける手段と、
前記タグと対応づけられた個人情報に係る個人に対しサービスを提供するサービス提供手段とよりなり、
前記タグと個人情報とを対応づける手段は、当該個人が有する情報処理装置の識別情報を前記個人情報として該当するタグの識別情報とともに登録する構成とされてなるサービス提供装置。
【請求項５】
更に前記所定のタグの位置を検出する手段を有し、
前記サービス提供手段は、前記検出された位置に応じたサービスを提供する構成とされてなる請求項４に記載のサービス提供装置。
【請求項６】
更に前記個人情報に対応づけてサービス内容を登録する手段を設け、
前記サービス提供手段は、前記個人情報に対応付けて登録されたサービス内容に関わるサービスを該個人情報に係る個人に対し提供する構成とされてなる請求項４または５に記載のサービス提供装置。
【請求項７】
タグと個人情報とを対応付ける手段と、
前記タグに対応づけられた個人情報に係る個人に対しサービスを提供するサービス提供手段としてコンピュータを動作させるための命令よりなるプログラムであって、
前記タグと個人情報とを対応づける手段としてコンピュータを動作させるための命令は、当該個人が有する情報処理装置の識別情報を前記個人情報として該当するタグの識別情報とともに登録するようにコンピュータを動作させるための命令よりなるプログラム。
【請求項８】
更に前記所定のタグの位置を検出する手段としてコンピュータを動作させるための命令を有し、
前記サービス提供手段としてコンピュータを動作させるための命令は、前記検出された位置に応じたサービスを提供するようにコンピュータを動作させるための命令を含む請求項７に記載のプログラム。
【請求項９】
更に前記個人情報に対応づけてサービス内容を登録する手段としてコンピュータを動作させるための命令を有し、
前記サービス提供手段としてコンピュータを動作させるための命令は、前記個人情報に対応付けて登録されたサービス内容に関わるサービスを該個人情報に係る個人に対し提供するようにコンピュータを動作させるための命令を含む請求項７または８に記載のプログラム。
【請求項１０】
前記請求項７乃至９のうちのいずれか一項に記載のプログラムを格納したコンピュータ読取可能記録媒体。
【発明の詳細な説明】
【技術分野】
【０００１】
本発明はサービス提供方法、サービス提供装置、プログラム及びコンピュータ読取可能記録媒体に関する。
【背景技術】
【０００２】
近年無線タグ（ＲＦＩＤ等）を識別手段として活用することにより、特定の個人に対し、所定のサービスを提供するシステムが提案されている。特にＩＴ化、自動化等による、無線タグを利用したサービスの適用分野の拡大が望まれている。
【特許文献１】特開２００４−１２６８１０号公報
【特許文献２】特開２０００−２２２５５１号公報
【特許文献３】特開２００２−０８３２７８号公報
【特許文献４】特開２００１−００５９３１号公報
【発明の開示】
【発明が解決しようとする課題】
【０００３】
このようなサービス提供システムの場合、無線タグと個人の情報とを対応付けることが必要であり、予め無線タグの発行管理者がホストコンピュータのデータベースに該当するＩＤと個人情報との対応付けを登録した上で個人に対し無線タグを発行する手続がとられる。このため、不特定な利用者に対し無線タグを提供し、その場で個人情報を登録するようなシステムの実現は困難と考えられる。
【０００４】
すなわち、テーマパークの入場券、交通機関の乗車券等に無線タグを適用し、所定の範囲内で特定のサービスを提供するようなシステムの実現は困難と考えられる。
【０００５】
本発明は上記課題に鑑み、無線タグ等のタグを利用し、同タグと対応づけられた個人に対し特定のサービスを提供するシステムを、効果的に且つ容易に構築し得る方法を提供することを目的とする。
【課題を解決するための手段】
【０００６】
本発明によれば、タグと個人情報とを対応付ける段階と、前記タグと対応づけられた個人情報に係る個人に対しサービスを提供する段階とを設け、前記タグと個人情報とを対応づける段階では、当該個人が有する情報処理装置の識別情報を該当するタグの識別情報とともに登録する。
【０００７】
本発明ではこのように個人が有する情報処理装置の識別情報をタグの識別情報とともに登録するため、サービスを提供する現場にて容易にタグと個人との対応付けが実現可能となる。
【発明の効果】
【０００８】
本発明によれば、テーマパーク、交通機関等、種々の施設を利用する利用者にタグを渡し、同タグによる識別にしたがって特定のサービスを提供するシステムを構築するような場合、利用者個人とタグとの対応付けが容易となり、簡易なシステムにより、効果的な態様でサービスを提供可能なシステムを実現することが可能となる。
【発明を実施するための最良の形態】
【０００９】
本発明の実施の形態では、不特定な利用者に対しテーマパークの入場券、交通機関の乗車券等のチケットの形態として無線タグを提供し、その場で個人情報を登録するような場合、所定の情報を身近な機器を利用してホストコンピュータのデータベースに登録することが可能となる。
【００１０】
すなわち上記入場券、乗車券等のチケットの形態とされた無線タグを利用者個人に渡す際、元々無線タグに格納されている識別ＩＤに加え、上記データベースを有するホストコンピュータとしてのサーバの開設に係るＷｅｂサイトのＵＲＬ、その他付帯情報(チケットの購入日時、購入金額等)を暗号化して格納した所謂２次元バーコード(すなわちＱＲコード)の形態で無線タグの表面に印刷する。
【００１１】
利用者個人はその２次元バーコードを、前記ＵＲＬにしたがってネットワークを介しサーバに接続した所定の読取機(カメラ付き携帯電話機等)で読み取らせ、同携帯電話機を利用して接続先のサーバに対し、それら読取情報（前記無線タグの識別ＩＤ，付帯情報等）を送信する。
【００１２】
これを受けたサーバは、前記無線タグの識別ＩＤとの対応付けを伴って利用者個人の個人情報の登録を行う。なおこのとき利用者個人の所有する携帯電話機の識別情報としてその電話番号がサーバに送られるため、同電話番号が利用者個人の個人情報として前記登録に供される。
【００１３】
このようにしてチケットとして渡された無線タグの識別情報との対応付けを伴った利用者個人の登録がなされ、その結果、当該利用者はその場から同無線タグを利用したサービスを受けることが可能となる。
【００１４】
すなわち上記登録によって無線タグの識別ＩＤとの対応付けを伴って利用者個人の個人情報がサーバに登録される結果として以下の如くの効果が得られる。すなわち当該利用者がテーマパーク、交通機関等の施設内の特定の場所に至った際、無線通信により同無線タグの存在が検出され、無線タグの識別ＩＤも同時に検出されるが、ここで検出された識別ＩＤは上記の如く利用者の個人情報に対応付けられて登録されたものであるため、前記特定の場所に当該利用者自身が至ったことが認識される。その結果、当該利用者個人が前記特定の場所に至ったという認識内容に応じた内容のサービスの提供が可能となる。
【００１５】
ここで適用されるチケットの形態とされた無線タグは、該当する利用者個人の個人情報と無線タグ自体との対応付けを可能とするため、無線タグとしてのカード上に同識別ＩＤが２次元バーコード化されて印刷されており、所定の読取機にて当該印刷された識別ＩＤが読み取り可能な構成とされている。
【００１６】
なお上述の実施の形態の説明ではチケットの機能を有するカード状の無線タグを例にとって説明したが、本発明の実施の形態はこれに限られない。すなわち、上記の如くのチケットの機能を果たし、その識別ＩＤが所定の読取機にて読み取り可能な形態で付加可能とされ、かつサービスの提供の場所においてその識別ＩＤが検出され得る構成であればよい。したがってＲＦＩＤその他の非接触型カード（ＩＣカード含む）等、広く適用が可能である。
【００１７】
また上記所定の読取機として利用可能な機器としては、上記の如く、公知のカメラ付きＱＲコード対応携帯電話機以外にも、同様な機能を備えた携帯情報端末機器等が適用可能である。
【００１８】
本発明の実施の形態では無線タグを利用したサービスの提供が、予め利用者登録の時点で無線タグを発行せずとも、サービス提供の現場で無線タグを渡したその場で可能となる。したがって上記無線タグをテーマパーク、交通機関等のチケット等の形態として利用者に持たせることでそれぞれの施設内の各場所に応じた様々なサービスを提供するシステムにおいて特に効果的な態様でのサービス提供が実現可能となる。
【００１９】
以下、上記実施の形態を実現する実施例の構成につき、図と共に説明する。
【実施例１】
【００２０】
図１は本発明の一実施例によるサービス提供システムの全体構成を示すブロック図である。
【００２１】
同図に示す如く、同サービス提供システムはユーザ端末１，２００から事前登録を受ける登録部１０を有し、更にその登録内容にしたがったサービスを登録対象の利用者に対し提供するサービス提供部４０を有するサービス提供装置１００よりなる。
【００２２】
同サービス提供装置１００は、前記登録部１０及びサービス提供部４０以外に、無線タグと前記登録に係る個人との対応付けを行うタグ対応付け部２０と，利用者が所定の施設内の特定場所に至った際にその利用者が有する無線タグの識別ＩＤを読み取るタグリーダ１５０からの信号を受けて利用者がその場所に至ったことを認識するタグ位置検出部３０とを有する。
【００２３】
図２は図１に示すサービス提供システムにおける一連の動作の流れを示すフローチャートである。
【００２４】
ステップＳ１０において利用者は自己の端末２００（たとえばパーソナルコンピュータ）により、インターネット等の通信回線を通じてサービス提供装置１００にアクセスし、サービスを受けるための事前登録を行う。その際利用者は受けるべきサービスの内容に関する内容の登録と共に、自身の個人情報（たとえば携帯電話機の電話番号、メールアドレス等）を併せて登録する。
【００２５】
これを受けたサービス提供措置１００の登録部１０ではこれらの情報をデータベースに格納する。
【００２６】
ステップＳ２０において、利用者はサービス施設５００に出向き、そこでチケットの形態とされた無線タグを受け取る。その際利用者は自己の端末２５０（たとえば携帯電話機）によって同チケット状無線タグ上に二次元バーコード（ＱＲコード等）態様で印刷された識別ＩＤ及び前記サービス提供装置のＵＲＬ等を、その付属カメラにより読み取る。
【００２７】
そして利用者は同端末２５０により、ここで読み取られたＵＲＬのＷｅｂサイトに対し、同じく読み取られたタグの識別ＩＤを送信する。その際、同端末２５０の電話番号或いはメールアドレスも併せて送信する。
【００２８】
これらの情報を受信したサービス提供措置１００のタグ対応付け部２０では、上記受信した端末２５０の電話番号或いはメールアドレス等の個人情報により、ここで無線タグを受け取った利用者が、ステップＳ１０にて行われた前記事前登録に係る利用者と同一であることを認識する。そして同じく受信された前記無線タグの識別ＩＤと同個人情報とを対応付けると共に、ステップＳ１０にてなされた事前登録とも対応付けてあらためて登録する。
【００２９】
次にステップＳ３０にて、同利用者がサービス施設５００内の特定の場所に至った際、タグリーダ１５０によって同利用者が携帯する前記チケット形態の無線タグが検知される。その際、同時に同無線タグが保有する識別ＩＤが読み取られる。
【００３０】
無線タグが保有する識別ＩＤを読み取るために必要な構成については、たとえばＲＦＩＤ関連の技術として公知である（たとえば特許文献２乃至４参照）ため、ここでの詳細な説明を省略する。
【００３１】
その結果、サービス提供装置１００のタグ位置検出部３０では、ここで読み取られた無線タグの識別ＩＤ及び前記タグリーダの位置から、同利用者が施設５００内の特定に場所に到達したことを検出する。
【００３２】
すなわち同識別ＩＤはステップＳ２０にて同利用者の端末２５０により読み取られ同利用者と対応付けられて登録されたものと一致するため、同利用者が携帯する無線タグがタグリーダ１５０の位置に到達したことが認識されるのである。
【００３３】
ステップＳ４０にてサービス提供部４０は、登録部１０においてステップＳ１０にて登録された、同利用者のサービスに関する登録内容、すなわちどのようなサービスを受けるかに関する登録内容を参照する。そしてこのようにして得られたサービスに関する登録内容のうち、前記施設内の特定の場所に関わるサービスを同利用者に対し、提供する。
【００３４】
具体的には、たとえば同場所に関わる案内情報等を、既に登録部１０においてステップＳ１０にて登録済みの同利用者の携帯電話機の電話番号或いはメールアドレスに対し随時配信する。
【００３５】
このようにして本発明の実施例によれば、サービス施設５００に係るチケットとしての無線タグの識別ＩＤと、これを受領して携帯する利用者個人との対応付けは、ステップＳ１０の事前登録の際ではなく、当該利用者が実際に該当する施設に出向いた際に行うことが可能となる（ステップＳ２０）。
【００３６】
その結果、事前登録に伴ってチケットを発行し、これを利用者に対して郵送したり、利用者自身が事前登録の際に所定の窓口に出向いてチケットを受領する等の手間を省くことが可能となる。
【００３７】
そして利用者は現にサービスを受ける段階で初めてチケットを受領し、そこに印刷された識別ＩＤ等を共にサービス提供装置１００に対し送信するだけで、それ以後、即該当するサービスを受け得る状態が構築される。なおこの場合、無線タグの識別ＩＤを対応づけるための個人情報としての携帯電話機の電話番号等は、上記識別ＩＤ送信時、同携帯電話機から同時に送信される。
【００３８】
また、その際、サービス提供装置１００のＷｅｂサイトのＵＲＬが同時にチケットから読み取られるため、同Ｗｅｂサイトにアクセスする際、利用者はわざわざ同サイトのＵＲＬを手入力する等の手間が省ける。
【００３９】
このように本発明の実施例によれば、利用者の利便性を効果的に向上させることが可能となる。
【００４０】
以下、同実施例を、テーマパークに入場する利用者に対してサービスを提供する際に適用する例につき、図３，図５と共に説明する。
【００４１】
まず、ステップＳ１０にて、利用者はテーマパークに行く場合、同テーマパーク内で実際に訪れる予定のアトラクション、レストラン等を事前に登録する。この登録は利用者が同テーマパークの開設に係るＷｅｂサイトのＵＲＬに対し自己のパーソナルコンピュータ等の端末装置２００にてアクセスし、その中での案内に応じて所定の情報を入力することにより行う。
【００４２】
サービス提供装置１００は図３に示す如くＷｅｂサーバ１０５とデータベース１１０とを有する。Ｗｅｂサーバ１０５は前記ユーザ端末としてのパーソナルコンピュータ２００からネットワーク３００を通じてなされる前記登録に係る送信信号を受け、その登録内容をデータベース１１０に格納する。
【００４３】
図５は同データベース１１０に登録される内容の具体例を説明するための図である。
【００４４】
図５に示す如く、この場合、利用者の氏名、その携帯電話の電話番号、同メールアドレス、自宅のパーソナルコンピュータのメールアドレス、テーマパークにおいて訪れる予定のアトラクション、レストラン等を登録する。なお、図５に示す登録項目の内、タグＩＤについては当該事前登録の際には設定されず、空白のままとされる。
【００４５】
なお、一例として、利用者が図５に示す、登録番号１のＡ氏であった場合を想定する。その場合、事前登録の内容は図示の如く、氏名としてのＡ氏、携帯電話機２５０の電話番号ａｂｃ、同メールアドレスｘｙｚ、自宅のパーソナルコンピュータのメールアドレス１２３４、訪れる予定のアトラクションとしてアトラクションａ１，レストランとしてレストランｒ２が登録される。
【００４６】
そしてその後、利用者は実際にテーマパークを訪れて入場券５０を購入する（ステップＳ２１）。この入場券、すなわち前記チケットは無線タグとしての機能を有する。同無線タグ５０は固有の識別情報としての識別ＩＤが埋め込まれているとともに、同入場券の表面には、この識別ＩＤ、前記Ｗｅｂサーバ１０５の開設に係るＷｅｂサイトのＵＲＬ等の情報が、二次元バーコード化されて印刷されている。
【００４７】
ステップＳ２２にて、利用者は自己の携帯電話機２５０に付属のカメラに前記入場券５０上に印刷されている二次元バーコードを読み取らせる。そしてその読取情報に含まれるＵＲＬにてＷｅｂサーバ１０５のＷｅｂサイトに接続し、同サイトに対して前記読み取り情報に含まれる入場券の識別ＩＤを送信する。その際、送信元の携帯電話機２５０の電話番号も併せて上記Ｗｅｂサーバ１０５のＷｅｂサーバに送信される。この場合、入場券５０、すなわち無線タグの識別ＩＤをｔ１００とする。
【００４８】
利用者がＡ氏である場合を想定しているため、この場合に送信される携帯電話機２５０の電話番号はａｂｃである。
【００４９】
Ｗｅｂサーバ１０５では、このようにして送信された情報のうち、携帯電話機の電話番号ａｂｃをキーとして、図５に示す、事前登録に係るデータベース１１０の格納情報を検索する。その結果、同じ携帯電話機の電話番号ａｂｃを有するレコードとしてＡ氏のレコード、すなわち登録番号１の登録内容が得られる。
【００５０】
その結果、Ｗｅｂサーバ１０５は、登録番号１の登録内容に係る利用者個人、すなわちＡ氏が前記識別ＩＤ、ｔ１００を有する無線タグ５０を受け取ったことを認識する。そして、上記の如く空白とされていた登録番号１の登録内容に含まれるタグＩＤの項目に、該当識別ＩＤ，ｔ１００をあらためて登録する（図５参照）。このようにして無線タグの識別ＩＤと同無線タグ５０を携帯してサービスを受ける利用者に係る事前登録内容とが対応付けられる。
【００５１】
なお、携帯電話機の付属カメラにより二次元バーコード（ＱＲコード等）を読み取ることによってその情報を得る技術は周知であるため、ここではその詳細の説明を省略する。
【００５２】
その後当該利用者（Ａ氏）がテーマパークに入場し、同テーマパーク内の所定の位置（複数箇所）に設置されたタグリーダ１５０に近付くと、同タグリーダ１５０により、そのアンテナを通じた無線通信により、Ａ氏が携帯する入場券としての無線タグ５０が検知され、同時にその識別ＩＤが読み取られる（ステップＳ３１）。
【００５３】
その読取情報はタグリーダ１５０からサービス提供装置１００に送信され（ステップＳ３２），これを受けたサービス提供装置１００は、読取情報としての識別ＩＤをキーとて図５に示す如くのデータベース１１０を検索する。
【００５４】
この場合、上記の如くＡ氏が携帯する無線タグ５０の識別ＩＤはｔ１００であることから、これをタグＩＤ項目に有する登録番号１の登録内容が得られる。
【００５５】
次にサービス提供装置１００は上記識別ＩＤを読取情報として送信してきたタグリーダ１５０の位置と、上記の如くデータベース１５０から得られた登録内容に含まれるサービス内容に係る情報、すなわち訪れる予定のアトラクション、レストラン等を参照する。
【００５６】
この場合該当する登録内容、すなわち登録番号１の登録内容はアトラクションａ１とレストランｒ２である（図５参照）。その結果、たとえば上記識別ＩＤを送信してきたタグリーダ１５０がこれら登録に係る場所のいずれかに近い場合、該当する場所に関する情報を、同登録内容に含まれ携帯電話機の電話番号ａｂｃ或いはメールアドレスｘｙｚに対し送信する（ステップＳ４０）。具体的には前記アトラクションａ１或いはレストランｒ２の待ち時間、空席状況等がサービス提供装置１００からネットワーク３００を通じて随時送信される。
【００５７】
このように本発明の実施例によればサービスを受ける利用者の事前登録の内容と、当該利用者がテーマパーク内のどの位置に到達したかの情報とが容易に対応づけられる。その結果、同利用者が訪れる場所に関連する情報を、その場所に関連する態様で提供することが可能となる。すなわち、当該利用者がその場所に近付いた際、その距離に応じた情報を提供する等の情報提供態様が可能となり、利用者の利便性を効果的に向上可能である。
【００５８】
なお、利用者が受け得る情報としては上記の待ち時間、空席状況以外にも、レストランのメニューの提示、料理の注文の受付、席の予約等が挙げられる。
【００５９】
更に、アトラクションの乗り物に搭乗時自動的に撮影された利用者自身の写真を提供するような場合、利用者が携帯する入場券としての無線タグ５０の機能により利用者が実際に搭乗した乗り物が識別され得るため、撮影された写真のうち当該利用者が搭乗した乗り物に係る写真を抽出可能となる。その結果当該利用者に係る写真のみを提示して注文を受けることが可能となる。したがって利用者は自己と無関係な写真を見る必要が無くなり、効率的に自己の写真の注文を行うことが可能となる。
【００６０】
また同様にして利用者のテーマパーク内の軌跡の記録、防犯カメラに写った写真の提供等が可能となる。
【００６１】
これらの記録情報は、利用者が自宅にて、上記ステップＳ１０にて事前登録の際に接続したＷｅｂサーバ１０５に再度接続することにより入手するように構成することも可能である。
【００６２】
図４は、前記サービス提供装置１００として適用可能なコンピュータの構成例を示すブロック図である。
【００６３】
図示の如く当該コンピュータは当該コンピュータの実行制御を行うＣＰＵ１，オペレータによる各種指示操作、データ入力用の操作部２，オペレータに対する各種情報（ユーザインタフェース含む）表示用のディスプレイ３，ＣＰＵ１が制御動作実行時にワークエリア等として利用可能なメモリ４，各種プログラム等及び前記ユーザ固有のディレクトリを格納可能なハードディスク装置５，可搬情報記録媒体としてのＣＤ−ＲＯＭ６ａを介して外部からプログラム、データ等をロードするためのＣＤ−ＲＯＭドライブ６、インターネット等の通信網８を介し外部サーバからプログラム、データ等をダウンロード可能なモデム７を含む。またこれら各部はバス９により相互に情報のやり取りが可能とされている。
【００６４】
尚上記操作部２はキーボード、マウス等を含み、ディスプレイ３はディスプレイ画面の他、プリンタ等を含む。
【００６５】
当該コンピュータが本発明によるサービス提供装置の実施例として動作するためには、図１乃至３，５と共に上述の本発明の実施例としてのサービス提供装置１００の制御をコンピュータに実行させるための命令よりなるプログラムをＣＤ−ＲＯＭ６ａを介して、或いは通信網８を介して当該コンピュータにロードする。そしてこのようにロードされた同プログラムはまずハードディスク装置５に格納され、その後メモリ４上にロードされる。
【００６６】
その後ＣＰＵ１が当該プログラムを構成する命令を順次実行することにより、図１乃至３，５と共に説明した本発明の実施例に係るサービス提供装置１００の動作を実行する。その結果当該コンピュータが本発明によるサービス提供装置の実施例として実現される。
【００６７】
本発明は以下の付記の各々に記載の構成をとり得る。
（付記１）
タグと個人情報とを対応付ける段階と、
前記タグと対応づけられた個人情報に係る個人に対しサービスを提供する段階とよりなるサービス提供方法であって、
前記タグと個人情報とを対応づける段階は、当該個人が有する情報処理装置の識別情報を前記個人情報として該当するタグの識別情報とともに登録する段階よりなるサービス提供方法。
（付記２）
更に前記タグの位置を検出する段階を有し、
前記サービスを提供する段階では、前記検出された位置に応じたサービスを提供する構成とされてなる付記１に記載のサービス提供方法。
（付記３）
更に個人情報に関連付けてサービス内容を登録する段階と、
前記サービスを提供する段階では、前記個人情報に関連付けて登録されたサービス内容に関わるサービスを該個人情報に係る個人に対し提供する構成とされてなる付記１または２に記載のサービス提供方法。
（付記４）
前記タグは所定の情報を格納したＲＦＩＤよりなり、
前記サービスを提供する段階では、所定の読み取り装置によってその格納情報を読み取ることにより前記所定の読み取り装置の位置として同タグの位置情報を取得し、当該位置情報に応じたサービスを提供する構成とされてなる付記１乃至３のうちのいずれかに記載のサービス提供方法。
（付記５）
前記個人情報としての識別情報は前記情報処理装置の連絡先情報とされ、前記サービスを提供する段階は所定の情報を同連絡先に対して配信する段階よりなる付記１乃至４のうちのいずれかに記載のサービス提供方法。
（付記６）
前記サービスを提供する段階は所定の施設を利用する際の案内情報を提供する段階よりなり、同施設内の所定の複数の場所のうちの各々の場所毎にその場所に応じて異なる案内情報を提供する構成とされてなる付記１乃至５のうちのいずれかに記載のサービス提供方法。
（付記７）
タグと個人情報とを対応付ける手段と、
前記タグと対応づけられた個人情報に係る個人に対しサービスを提供するサービス提供手段とよりなり、
前記タグと個人情報とを対応づける手段は、当該個人が有する情報処理装置の識別情報を前記個人情報として該当するタグの識別情報とともに登録する構成とされてなるサービス提供装置。
（付記８）
更に前記タグの位置を検出する手段を有し、
前記サービス提供手段は、前記検出された位置に応じたサービスを提供する構成とされてなる付記７に記載のサービス提供装置。
（付記９）
更に前記個人情報に対応づけてサービス内容を登録する手段を設け、
前記サービス提供手段は、前記個人情報に対応付けて登録されたサービス内容に関わるサービスを該個人情報に係る個人に対し提供する構成とされてなる付記７または８に記載のサービス提供装置。
（付記１０）
前記タグは所定の情報を格納したＲＦＩＤよりなり、
前記サービス提供手段は、所定の読み取り装置によってその格納情報を読み取ることにより前記所定の読み取り装置の位置として同タグの位置情報を取得し、当該位置に応じたサービスを提供する構成とされてなる付記７乃至９のうちのいずれかに記載のサービス提供装置。
（付記１１）
前記個人情報としての識別情報は前記情報処理装置の連絡先情報とされ、
前記サービス提供手段は所定の情報を当該情報処理装置の連絡先に対して配信する構成とされてなる付記７乃至１０のうちのいずれかに記載のサービス提供装置。
（付記１２）
前記するサービス提供手段は、所定の施設を利用する際の案内情報を提供するものとされ、
前記サービス提供手段は同施設内の所定の複数の場所の各々の場所毎にその場所に応じて異なる案内情報を提供する構成とされてなる付記７乃至１１のうちのいずれかに記載のサービス提供装置。
（付記１３）
タグと個人情報とを対応付ける手段と、
前記タグに対応づけられた個人情報に係る個人に対しサービスを提供するサービス提供手段としてコンピュータを動作させるための命令よりなるプログラムであって、
前記タグと個人情報とを対応づける手段としてコンピュータを動作させるための命令は、当該個人が有する情報処理装置の識別情報を前記個人情報として該当するタグの識別情報とともに登録するようにコンピュータを動作させるための命令よりなるプログラム。
（付記１４）
更に前記タグの位置を検出する手段としてコンピュータを動作させるための命令を有し、
前記サービス提供手段としてコンピュータを動作させるための命令は、前記検出された位置に応じたサービスを提供するようにコンピュータを動作させるための命令を含む付記１３に記載のプログラム。
（付記１５）
更に前記個人情報に対応づけてサービス内容を登録する手段としてコンピュータを動作させるための命令を有し、
前記サービス提供手段としてコンピュータを動作させるための命令は、前記個人情報に対応付けて登録されたサービス内容に関わるサービスを該個人情報に係る個人に対し提供するようにコンピュータを動作させるための命令を含む付記１３または１４に記載のプログラム。
（付記１６）
前記タグは所定の情報を格納したＲＦＩＤよりなり、
前記サービス提供手段としてコンピュータを動作させるための命令は、所定の読み取り装置によってその格納情報を読み取ることにより前記所定の読み取り装置の位置として同タグの位置情報を取得し、前記取得した位置情報に応じたサービスを提供するようにコンピュータを動作させるための命令を含む付記１３乃至１５のうちのいずれかに記載のプログラム。
（付記１７）
前記個人情報は前記情報処理装置の連絡先情報とされ、
前記サービス提供手段としてコンピュータを動作させるための命令は、所定の情報を当該情報処理装置の連絡先に対して配信するようにコンピュータを動作させるための命令を含む付記１３乃至１６のうちのいずれかに記載のサープログラム。
（付記１８）
前記サービス提供手段としてコンピュータを動作させるための命令は所定の施設を利用する際の案内情報を提供するようにコンピュータを動作させるための命令よりなり、
更に同施設内の所定の複数の場所の各々の場所毎にその場所に応じて異なる案内情報を提供するようにコンピュータを動作させるための命令を含む付記１３乃至１７のうちのいずれかに記載のプログラム。
（付記１９）
前記付記１３乃至１８のうちのいずれかに記載のプログラムを格納したコンピュータ読取可能記録媒体。
（付記２０）
識別情報を有し、該識別情報が無線通信によって読み取られることにより識別可能な無線タグであって、
その識別情報が、当該タグを有する個人の個人情報を送信する機能を有する所定の読取手段で読み取り可能な態様で付加された構成とされてなる無線タグ。
【図面の簡単な説明】
【００６８】
【図１】本発明の一実施例によるサービス提供システムの全体構成を示すブロック図である。
【図２】本発明の一実施例によるサービス提供方法の流れを示すフローチャートである。
【図３】本発明の一実施例によるサービス提供システムの具体的な適用例を説明するための図である。
【図４】本発明の一実施例によるサービス提供装置としてのコンピュータの構成例を示すブロック図である。
【図５】本発明の一実施例によるサービス提供装置のデータベースにおける登録内容の一例を示すための図である。
【符号の説明】
【００６９】
１０  登録部
２０  タグ対応付け部
３０  タグ位置検出部
４０  サービス提供部
１００  サービス提供装置
１５０  タグリーダ
２００、２５０  ユーザ端末
【図１】
2007114970.tif 000003
【図２】
2007114970.tif 000004
【図３】
2007114970.tif 000005
【図４】
2007114970.tif 000006
【図５】
2007114970.tif 000007